(57)【要約】  ２つ以上の容器のそれぞれの底部パネル及び蓋上の相互嵌合面により、容器を軸上で螺旋段積みすることが可能になる。段積みされると、１つの容器の前面が隣接する別の容器の前面から、０°よりは大きいが９０°よりは小さいようにあらかじめ選ばれた、あらかじめ定められた角度だけずらされる。
2016508933.tif 000002
【特許請求の範囲】
【請求項１】
容器であって、複数のそのような容器を含む展示段積みの形成に用いるための容器において、前記容器が、
外面をもつ底部パネルを有する容器本体、
−前記容器本体は垂直軸を中心にして配置され、
−前記底部パネルの主外面は前記軸に実質的に直交し、
−前記主外面上に第１の嵌合面が形成される、
及び
前記底部パネルから軸方向に隔てられ、前記底部パネルに対向する、前記容器本体の上部パネル、
−前記上部パネルは前記軸を中心にして配置され、前記軸に実質的に直交する主外面を有し、
−前記上部パネル上に第２の嵌合面が形成される、
を有し、
前記容器を、少なくとも第１の位置及び第２の位置のいずれかにおいて、軸方向に第２の同様の容器の上に積み重ねることができ、
前記第１の位置及び第２の位置が、０°よりは大きいが９０°よりは小さい、角度だけ相互にずらされ、
前記容器が前記第１の位置または前記第２の位置にあるときには、前記容器の前記第１の嵌合面が前記第２の容器の前記第２の嵌合面と、前記容器の前記第２の容器に対する軸回転を防止するために、協働する、
ことを特徴とする容器。
【請求項２】
前記上部パネルが前記容器のための蓋の少なくとも一部分を形成することを特徴とする請求項１に記載の容器。
【請求項３】
前記第１の容器及び前記第２の容器と同様の第３の容器を、少なくとも第３の位置及び第４の位置のいずれかにおいて、軸方向に前記第２の容器の上に積み重ねることができ、
前記第３の位置及び前記第４の位置が前記軸に対して、０°よりは大きいが９０°よりは小さい、角度だけ相互にずらされ、
前記第３の容器が前記第３の位置及び前記第４の位置のいずれかにあるときには、前記第２の容器の前記第１の嵌合面が前記第３の容器の前記第２の嵌合面と、前記第２の容器の前記第３の容器に対する軸回転を防止するために、協働する、
ことを特徴とする請求項１に記載の容器。
【請求項４】
いずれの前記容器の角位置も隣接する容器から一定の大きさの角度だけずらされることを特徴とする請求項３に記載の容器。
【請求項５】
前記第１の嵌合面及び前記第２の嵌合面の内のあらかじめ選ばれた一方が複数の星形点をもつ星形突出リブであり、前記第１の嵌合面及び前記第２の嵌合面の他方が、前記星形点の内角以下の内角をもつ辺を有する複数のＶ字形突出リブを含み、それぞれのＶ字形が選ばれた星形点の内側に嵌まるよう適合されるように、前記星形点の位置から径方向に内側にずらされていることを特徴とする請求項１に記載の容器。
【請求項６】
前記Ｖ字形突出リブの数が前記星形点の数の倍数に等しいことを特徴とする請求項５に記載の容器。
【請求項７】
前記第１の嵌合面及び前記第２の嵌合面の内のあらかじめ選ばれた一方が少なくとも１つの隆起を含み、前記第１の嵌合面及び前記第２の嵌合面の他方が前記隆起を受け入れる寸法につくられた少なくとも１つの窪みを含むことを特徴とする請求項１に記載の容器。
【請求項８】
前記第１の嵌合面及び前記第２の嵌合面の内の少なくとも一方が多角形を含むことを特徴とする請求項１に記載の容器。
【請求項９】
前記第１の嵌合面及び前記第２の嵌合面の内の少なくとも一方が細長い継目無しの壁で形成されることを特徴とする請求項１に記載の容器。
【請求項１０】
前記第１の嵌合面及び前記第２の嵌合面の内の少なくとも一方がメサであることを特徴とする請求項１に記載の容器。
【請求項１１】
前記嵌合面の内の少なくとも一方が水平方向に隔てられた複数の構造を含むことを特徴とする請求項１に記載の容器。
【請求項１２】
前記構造の内の少なくともいくつかが円形であることを特徴とする請求項１１に記載の容器。
【請求項１３】
前記構造の内の少なくともいくつかが長円形であることを特徴とする請求項１１に記載の容器。
【請求項１４】
前記第１の嵌合面及び前記第２の嵌合面の内の少なくとも一方が曲線形を含むことを特徴とする請求項１に記載の容器。
【請求項１５】
前記第１の嵌合面及び前記第２の嵌合面の内の少なくとも一方が少なくとも１つの槓形を含むことを特徴とする請求項１に記載の容器。
【請求項１６】
前記第１の嵌合面及び前記第２の嵌合面の内の少なくとも一方が前記軸からずらされた中心を有する円形を含むことを特徴とする請求項１に記載の容器。
【請求項１７】
前記第１の嵌合面及び前記第２の嵌合面の内の一方がスロットであることを特徴とする請求項１に記載の容器。
【請求項１８】
前記第１の嵌合面が前記底部パネルから下方に延び、前記第２の嵌合面が前記上部パネルから上方に延びることを特徴とする請求項１に記載の容器。
【請求項１９】
前記底部パネルの前記主外面が、前記底部パネルの前記主外面から下方に延びると共に相互にまた前記第１の嵌合面から横方向に隔てられた、複数の脚を有し、前記底部パネルの前記主外面から測られた前記脚の高さが前記底部パネルの前記主外面から測られた前記第１の嵌合面の高さより大きく、さらに、前記上部パネルの前記主外面から測られた前記第２の嵌合面の高さより大きいことを特徴とする請求項１８に記載の容器。
【請求項２０】
容器であって、複数のそのような容器を含む展示段積みの形成に用いるための容器において、前記容器が、
底部パネルを有する容器本体、
−前記容器本体は前記容器本体の中心を通る垂直軸を中心にして配置され、
−前記底部パネルの主外面は前記軸に実質的に直交し、
−前記底部パネル上に第１の嵌合面が配置される、
及び
前記底部パネルから軸方向に隔てられ、前記底部パネルに対向する、前記容器本体の上部パネル、
−前記上部パネルは前記軸を中心にして配置され、前記軸に実質的に直交する主外面を有し、
−前記上部パネル上に第２の嵌合面が配置される、
を有し、
前記容器が、前記軸から隔てられ、前記底部パネルと前記上部パネルの間に配置された、前面パネルをさらに有し、
軸方向に、少なくとも第１の位置において、第２の同様の容器の上に前記容器を積み重ねることができ、
前記容器の前記第１の嵌合面が前記第２の容器の前記第２の嵌合面と、前記容器の前記第２の容器に対する軸回転を防止するために、協働し、
前記第１の位置が、積み重ねられると、前記容器の前記前面パネルが前記第２の容器の前記前面パネルに対し、前記軸を中心にしてある角度をなすようにあらかじめ選ばれ、
前記角度が０°より大きく９０°より小さくなるようにあらかじめ選ばれる、
ことを特徴とする容器。
【請求項２１】
前記上部パネルが前記容器のための蓋の少なくとも一部分を形成することを特徴とする請求項２０に記載の容器。
【請求項２２】
第３の容器を軸方向に、前記少なくとも第１の位置において、第２の同様の容器の上に積み重ねることができ、
前記第３の容器の前記第１の嵌合面が前記第２の容器の前記第２の嵌合面と、前記第２の容器に対する前記第３の容器の軸回転を防止するために、協働し、
前記第１の位置が、積み重ねられると、前記第３の容器の前記前面パネルが前記第２の容器の前記前面パネルに対し、前記軸を中心にしてある角度をなすようにあらかじめ選ばれ、
前記角度が０°より大きく９０°より小さくなるようにあらかじめ選ばれる、
ことを特徴と請求項２０に記載の容器。
【請求項２３】
前記容器が、いずれの前記容器の角位置も隣接する容器から一定の大きさの角度だけずらされるように、積み重ねることができることを特徴とする請求項２２に記載の容器。
【請求項２４】
前記第１の嵌合面及び前記第２の嵌合面の内のあらかじめ選ばれた一方が複数の星形点をもつ星形突出リブであり、前記第１の嵌合面及び前記第２の嵌合面の他方が、前記星形点の内角以下の内角をもつ辺を有する複数のＶ字形突出リブを含み、それぞれのＶ字形が選ばれた星形点の内側に嵌まるよう適合されるように、前記星形点の位置から径方向に内側にずらされていることを特徴とする請求項２０に記載の容器。
【請求項２５】
前記第１の嵌合面及び前記第２の嵌合面の内のあらかじめ選ばれた一方が隆起であり、前記第１の嵌合面及び前記第２の嵌合面の他方が前記隆起を受け入れる寸法につくられた窪みであることを特徴とする請求項２０に記載の容器。
【請求項２６】
前記第１の嵌合面及び前記第２の嵌合面の内の少なくとも一方が多角形を含むことを特徴とする請求項２０に記載の容器。
【請求項２７】
前記第１の嵌合面及び前記第２の嵌合面の内の少なくとも一方が細長い継目無しの壁で形成されることを特徴とする請求項２０に記載の容器。
【請求項２８】
前記第１の嵌合面及び前記第２の嵌合面の内の少なくとも一方がメサであることを特徴とする請求項２０に記載の容器。
【請求項２９】
前記第１の嵌合面及び前記第２の嵌合面の内の少なくとも一方が水平方向に隔てられた複数の構造を含むことを特徴とする請求項２０に記載の容器。
【請求項３０】
前記構造の内の少なくともいくつかが円形であることを特徴とする請求項２９に記載の容器。
【請求項３１】
前記構造の内の少なくともいくつかが長円形であることを特徴とする請求項２９に記載の容器。
【請求項３２】
前記第１の嵌合面及び前記第２の嵌合面の内の少なくとも一方が曲線形を含むことを特徴とする請求項２０に記載の容器。
【請求項３３】
前記第１の嵌合面及び前記第２の嵌合面の内の少なくとも一方が少なくとも１つの槓形を含むことを特徴とする請求項２０に記載の容器。
【請求項３４】
前記嵌合面の内の少なくとも一方が前記軸から隔てられた円形を含むことを特徴とする請求項２０に記載の容器。
【請求項３５】
前記第１の嵌合面及び前記第２の嵌合面の内の少なくとも一方がスロットを含むことを特徴とする請求項２０に記載の容器。
【請求項３６】
前記第１の嵌合面が前記底部パネルから下方に延び、前記第２の嵌合面が前記上部パネルから上方に延びることを特徴とする請求項２０に記載の容器。
【請求項３７】
前記底部パネルの前記主外面が、前記底部パネルの前記主外面から下方に延びると共に相互にまた前記第１の嵌合面から横方向に隔てられた、複数の脚を有し、前記主外面から測られた前記脚の高さが、前記主外面から測られた前記第１の嵌合面の高さより大きく、さらに、前記上部パネルの前記主外面から測られた前記第２の嵌合面の高さより大きいことを特徴とする請求項３６に記載の容器。
【請求項３８】
容器であって、同様の容器の螺旋段積みに積み重ねることができる容器において、
螺旋段積み軸に実質的に直交する底部パネルを有し、前記底部パネルから軸方向に変位された上部パネルをさらに有する、本体、
−前記上部パネルも前記軸に実質的に直交する、
前記上部パネル及び前記底部パネルの内の第１の上に形成された第１の嵌合面、
−前記第１の嵌合面は、前記軸から等しく水平方向にずらされ、それぞれが径方向に延びる、複数の凹所を有し、
−前記凹所は相互に等しい角度で隔てられる、
及び
前記上部パネル及び前記底部パネルの他方の上に形成された第２の嵌合面、
−前記第２の嵌合面は前記凹所の数の整数倍である複数の突出を有し、
−前記突出は前記軸から等しく水平方向にずらされ、
−前記突出は相互に等しい角度で隔てられる、
を有し、
前記突出は前記整倍数に等しい数の組にまとめられ、いずれの前記組の突出も他の組の突出によって隔てられた角位置にあり、突出の少なくとも１つの組は、０°よりは大きいが９０°よりは小さいように選ばれた、あらかじめ定められた角度だけ前記凹所の前記角位置に対して角度がずらされる、
ことを特徴とする容器。
【請求項３９】
前記凹所の内の隣接する凹所の間の前記角度が７２°であることを特徴とする請求項３８に記載の容器。
【請求項４０】
前記凹所が前記上部パネル上に配置され、前記突出が前記底部パネル上に配置されることを特徴とする請求項３８に記載の容器。
【請求項４１】
前記突出及び前記凹所のいずれもが前記上部パネル及び前記底部パネルの実質的に平坦な主表面のそれぞれから突き出る壁によって形成されることを特徴とする請求項３８に記載の容器。
【請求項４２】
前記上部パネルが蓋であることを特徴とする請求項３８に記載の容器。
【請求項４３】
前記突出が前記第１の嵌合面から径方向に外側に突き出し、前記凹所が前記突出よりも大きい距離だけ前記軸からずらされていることを特徴とする請求項３８に記載の容器。
【請求項４４】
前記凹所が少なくとも１つの壁によって形成された中空星形の内頂点であることを特徴とする請求項３８に記載の容器。
【請求項４５】
容器であって、同様の容器の螺旋段積みに積み重ねることができる容器において、
螺旋段積み軸に実質的に直交する底部パネルを有し、前記底部パネルから軸方向に変位された上部パネルをさらに有する、本体、
−前記上部パネルも前記軸に実質的に直交する、
前記上部パネル及び前記底部パネルの内の第１の上に形成された第１の嵌合面、
−前記第１の嵌合面は、前記軸から等しく水平方向にずらされ、それぞれが径方向に延びる、複数の凹所を有し、
−前記凹所は相互に等しい角度で隔てられる、
及び
前記上部パネル及び前記底部パネルの他方の上に形成された第２の嵌合面、
−前記第２の嵌合面は前記凹所の数の整数倍である複数の突出を有し、
−前記突出は前記軸から等しく水平方向にずらされ、
−前記突出は相互に等しい角度で隔てられる、
を有し、
前記突出の少なくともいくつかは、０°よりは大きいが９０°よりは小さいように選ばれた、あらかじめ定められた角度だけ前記凹所の前記角位置に対して角度がずらされる、
ことを特徴とする容器。
【請求項４６】
前記第２の嵌合面が前記容器本体に嵌まる蓋の上に形成されることを特徴とする請求項４５に記載の容器。
【請求項４７】
前記容器が同様の容器の上に積み重ねられたときに、２つのあらかじめ定められた角位置のいずれかが達成され得るように、前記第１の嵌合面及び前記第２の嵌合面が配置され、前記あらかじめ定められた位置のいずれもが０°よりは大きいが９０°よりは小さいずれを有することを特徴とする請求項４５に記載の容器。
【請求項４８】
複数の容器を螺旋段積みに配置するための方法において、
第１の容器の底部パネルの上に第１の嵌合面を形成する工程、
−前記底部パネルは前記螺旋段積みの軸に実質的に直交する、
前記底部パネルから軸方向に変位され、前記軸に実質的に直交するように配置された、前記第１の容器の上部パネルの上に第２の嵌合面を形成する工程、
−前記第１の容器と同様の第２の容器上の前記第１の嵌合面と前記第１の容器上の前記第２の嵌合面との相互作用が、前記第２の容器が前記第１の容器に対して前記軸を中心にして角度がずらされた少なくとも１つの角位置を定める、
及び
前記第１の容器の上に第２の容器を積み重ねる工程、
−前記第２の容器は前記第１の容器と同様である、
を含み、
前記積み重ねる工程が、
前記第１の容器に対する前記第２の容器の少なくとも１つの角位置を選択するサブ工程、
−前記第２の容器は次いで、０°及び９０°を除く、０°から９０°の範囲からあらかじめ選ばれた前記軸に対する角度だけ前記第１の容器からずらされる、
前記第２の容器の前記第１の嵌合面を前記第１の容器の前記第２の嵌合面と嵌め合わせるサブ工程、及び
前記嵌め合わせるサブ工程に応答して、前記選択された角位置からずれる方向への前記第２の容器の前記軸を中心とする回転を防止するサブ工程、
を含む、
ことを特徴とする方法。
【発明の詳細な説明】
【技術分野】
【０００１】
本開示は容器に関し、特に螺旋状に段積みすることができる容器に関する。
【背景技術】
【０００２】
製品は小売りのために容器に詰められることが多く、容器の多様性は販売される製品にしたがって様々である。包装または容器は、消費者の目を引く、製品を展示する、製品を清潔に保つ、製品を１つにまとめる、及び盗難を防止するような、多くの目的に役立つ。容器は、特に製品が風変わりであるかまたは不規則な形状または構成を有している場合に、製品を容器に入れることで製品の段積み及び／または展示が容易になるから、有用である。複数の関連する製品を小売りのために１つの容器に一緒に詰めることができる。
【０００３】
通常の小売り環境において、従来の容器は、展示棚に積み重ねるか、常設または特設の展示において、床または台上に積み重ねるか、または展示ラックに吊すことができる。展示目的のための容器の段積みには本質的な問題がある−店舗の展示スペースは限られていて、容器が高いかまたは低い棚に置かれると、消費者に見えなくなり得る。多くの場合、展示スペースを最大化しようとして、容器が高く積み上げられるが、これでは不安定になりがちである。段積みが安定であったとしても、高く積み上げられた容器を消費者が手に取ろうとすると、１つ以上の容器が落下する可能性が高いであろう。代案は段積みを低くして、比較的安定に保つことであるが、従来の容器では段積みが低いと消費者の注意を引かないであろう。
【発明の概要】
【発明が解決しようとする課題】
【０００４】
したがって、限られた小売り展示スペースを最大限に利用し、同時に、魅力的で、人目を引き、安定な段積みを提供する、容器が必要とされている。
【課題を解決するための手段】
【０００５】
本発明の一態様にしたがえば、同様の容器の螺旋段積みを形成するために用いることができる容器が提供される。上方に突き出すリブで形成された星形のような、嵌合面が容器の上部パネルの外面上に定められる。第２に、円形パターンで配置された複数のＶ字形突出リブのような、協働する嵌合面が容器の底部パネル上に定められる。第１の容器と同様の、第２の容器が第１の容器上に置かれると、第１の嵌合面と第２の嵌合面が協働して容器間の回転運動を防止する。さらに、嵌合面は、第２の容器が軸を中心にしてあらかじめ選ばれた、０°より大きく９０°より小さい、オフセット角をもって第１の容器上に置かれ得るように、定められる。
【０００６】
本発明の別の態様にしたがえば、容器は螺旋段積みに積み重ねることができる。第１の容器が、例えば展示面上に、置かれる。第２の容器が第１の容器の上に、第１の容器に対し軸を中心にして、１４.４°の角度のような、あらかじめ定められた角度をなして、置かれる。第３の容器が第２の容器の上に置かれ、第３の容器は第２の容器から同じあらかじめ定められた角度だけずらされる。第３の容器の上に第４の容器を、あらかじめ定められた角度のオフセット角をさらにもって、置くことができる。積重ねは所望の段積み高が達成されるまで続く。
【０００７】
本発明のまた別の態様にしたがえば、複数の容器の嵌合面を、容器の内の２つが積み重ねられるときに、第１の容器の前面パネルが第２の容器の前面パネルに対し軸を中心にして必ずある角度をなしているように、それぞれのパネル上に配置することができる。軸を中心にするずれの角度は０°と９０°の間である。これは、協働する嵌合面についてあらかじめ定められた位置が１つしかなければ、容器の螺旋段積みを強制する。
【０００８】
本発明の別の態様にしたがえば、第１の容器の嵌合面上に複数の窪みが配置される。第２の容器の協働する嵌合面上に複数の突出が配置される。突出と窪みは、容器が積み重ねられたときに、容器が相互に角度がずらされるであろう、少なくとも１つの位置で協働する。
【０００９】
本発明は、つくられる螺旋段積みが安定で人目を引くという利点を段積み容器に与える。螺旋段積みは従来技術の不安定な段積みより高く積み重ねることができるから、螺旋段積みは小売り環境において床面積及び展示スペースも節約する。
【００１０】
螺旋段積みは、透明容器が用いられれば、様々な態様の製品を消費者に向けて展示するという利点を有する。螺旋段積みは、ラベル、広告及びその他の情報が印刷され得る、容器の側面の全てを見ることも可能にする。１つの容器内に複数の製品がある場合、段階的な螺旋回転は段積みから製品を取り出す必要無しに容器内に詰められている製品の全てを見る機会を消費者に提供する。さらなる利点として、容器パネル上の嵌合面は容器内の製品または適切なマーケティングキャンペーンを表すように調製することができる。
【００１１】
本発明のさらなる態様及びそれらの利点は、同様の符号が同様の要素を表す、以下の詳細な説明に見ることができる。
【図面の簡単な説明】
【００１２】
【図１】図１は、上に見られるような、本発明にしたがう容器及び蓋の斜視分解組立図である。
【図２】図２は容器の底面の斜視図である。
【図３】図３は容器の底部パネルに重ね合わされた容器の蓋の平面図であり、蓋の角度ずれ位置が隠れ線で示されている。
【図３Ａ】図３Ａは図３の容器の蓋の詳細図である。
【図４】図４は容器の螺旋段積みの斜視図であり、容器は透明材料でつくられるように選ばれ、製品を収めている。
【図５】図５は本発明の第２の実施形態の平面図であり、第２の嵌合面の円形壁と位置合わせされている第１の嵌合面の円形壁を示す。
【図５Ａ】図５Ａは本発明の第３の実施形態の平面図であり、第２の嵌合面の２つの円形壁と位置合わせされている第１の嵌合面の円形壁を示す。
【図６】図６は本発明の第４の実施形態の平面図であり、第２の嵌合面の曲線壁と位置合わせされている第１の嵌合面の曲線壁を示す。
【図６Ａ】図６Ａは本発明の第５の実施形態の平面図であり、第２の嵌合面の嵌合部材及び円形壁と位置合わせされている第１の嵌合面の曲線壁及び中央円形壁を示す。
【図７】図７は本発明の第６の実施形態の平面図であり、第１の嵌合面の長円形壁と第２の嵌合面の短い突出壁を示す。
【図７Ａ】図７Ａは本発明の第７の実施形態の平面図であり、第１の嵌合面の長円形壁及び円形壁と第２の嵌合面の短い突出壁及び円形壁を示す。
【図８】図８は本発明の第８の実施形態の一嵌合面の平面図であり、第１の嵌合面の連続突出壁を示す。
【図９】図９は本発明の第８の実施形態の第２の嵌合面の平面図であり、スロットを示す。
【図１０】図１０は本発明にしたがう容器を積み重ねる方法についての工程を示す簡略なブロック図である。
【発明を実施するための形態】
【００１３】
本発明は展示段積みの形成に用いるための容器を提供する。図１に示される例示実施形態において、全体として参照数字１００で示される容器は、容器本体１０４及び、この実施形態においては、蓋１０２で形成される上部パネルを有する。蓋１０２は容器本体１０４に嵌まり、容器の本体１０４から完全に取り外すことができる。容器１００は透明ポリカーボネート材料で形成されることが好ましいが、透明なゴム、プラスチックまたはガラスで形成することもできる。容器１００は、不透明なポリマー、セルロース、金属、セラミックまたは木材を含む、不透明材料で形成することもできる。
【００１４】
図１に示されるように、容器の蓋１０２は容器本体１０４に嵌まり、軸Ｘを中心にして配置される。図示される実施形態において、蓋１０２の縁端は丸められている。蓋１０２は、軸Ｘに実質的に直交する、主外面を含む上部パネル１０３を有する。図示される実施形態において、上部パネル１０３の縁辺は下向きに曲がって、蓋１０２が容器本体１０４の余部に組み合わされると容器本体１０４の（以下で説明される）側面パネルと連続する、側面パネル１２０，１２２，１２４及び１２６に変移する。
【００１５】
本発明の一態様にしたがえば、星形突出壁１０６の形態の嵌合面が上部パネル１０３の外面上に配置される。この嵌合面は第２の容器上に配置された（以下で説明される）第２の嵌合面と、２つの容器の間の軸Ｘを中心にする回転を防止するように、及び第２の容器が、０°より大きく９０°より小さい、軸Ｘを中心にするオフセット角をなして第１の容器の上面に配置されることを可能にするように、協働する。図示される実施形態において、星形１０６は、上部パネル１０３の概ね水平な平坦面から上方に延びる、突出リブからなる。星形１０６の中心は軸Ｘ上にあり、上部パネル１０３の中心に対応する。
【００１６】
容器本体１０４の下部は、前面パネル１０７，３枚の側面パネル１０８，１１０，１１２及び１枚の底部パネル１１４を有する。容器本体１０４は軸Ｘを中心にして配置される。図示される実施形態においては正方形である、底部パネル１１４は実質的に軸Ｘに直交する主外面２１２を有する。図１に示されるように、図示される実施形態における上部パネル１０３の形状は底部パネル１１４の形状と実質的に同じである。この図示される実施形態において、パネル１０７，１０８，１１０及び１１２は軸Ｘに平行であり、軸Ｘから隔てられていて、角柱形をなす。側面パネル１０７，１０８，１１０，１１２は、断面形状または数が変わり得る。例えば、側面パネル１０７，１０８，１１０及び１１２は楕円筒または不規則断面をもつ筒体で置き換えることができるであろう。側面パネル１０７，１０８，１１０，１１２は、側面パネルが底部パネル１１４から上部パネル１０３を軸方向に隔てる限り、円筒形または角柱形である必要はない。
【００１７】
図１に示される実施形態に見られるように、容器の内部において突出フィン１１６が底部パネル１１４上に配置され、底部パネル１１４から上方に突き出す。突出フィン１１６は製品を容器内の所定の場所に保つために用いることができ、容器本体１０４の余部と一体形成することができる。
【００１８】
容器本体１０４の底部の斜視図が図２に示される。底部パネル１１４の水平主外面２１２から下方に延び出す２５の嵌合部材２０２を見ることができる（嵌合部材は底面図では上方に延びる）。本発明の一態様にしたがえば、それぞれの嵌合部材２０２は、Ｖ字形またはΔ形の突き出しリブである。嵌合部材２０２は円形パターンで配置され、その中心は底部パネル１１４の幾何学的中心である。
【００１９】
図２に示される２５の嵌合部材２０２は、底部パネル１１４の主外面２１２上に嵌合面を形成する。底部パネル１１４上の嵌合面は第２の容器１００の上部パネル１０３上に配置された第２の嵌合面と、２つの容器の間の円回転を防止するように、及び、０°より大きく９０°より小さい、軸Ｘを中心とするオフセット角で第１の容器１００の上面に第２の容器１００を配置することを可能にするように、協働する。
【００２０】
図２に示されるように、底部パネル１１４は、容器脚２０４，２０６，２０８，２１０のような、底部パネルの主外面２１２から下方に延び出す別の突出リブ壁を有することができる。容器脚２０４，２０６，２０８，２１０は嵌合部材２０２から径方向に隔てられて配置され、相互に隔てられる。容器脚２０４，２０６，２０８，２１０の高さは、底部パネル１１４の主外面２１２から測って、嵌合面のいずれの高さよりも大きいことが好ましい。この図示される実施形態において、容器脚２０４，２０６，２０８，２１０は第１の嵌合面または第２の嵌合面と協働せず、したがって、嵌合部材ではない。
【００２１】
図１〜３に示される例示実施形態の星形１０６は、５つの実質的に合同な頂点、すなわち星形点３０２，３０４，３０６，３０８，３１０を有する。頂点３０２，３０４，３０６，３０８，３１０が実質的に合同であることは、協働する嵌合面のＶ字形２０２と星形点３０２，３０４，３０６，３０８，３１０が多くの位置のいずれかにおいて相互に入れ子になるかまたは嵌合することを保証する。入れ子Ｖ字形は、軸から径方向に変位された突出である。図３の例示実施形態において星形は５つの実質的に合同な頂点を有するが、星形は少ない３つの頂点または底部パネル１１４または上部パネル１０３上に収容され得る限り多くの頂点を有することができる。星形の頂点３０２，３０４，３０６，３０８，３１０は、同じく軸から径方向に離された、凹所である。全ての場合において、Ｖ字形または突出の数は星形頂点または凹所の数の整数倍とするべきである。
【００２２】
図３Ａに示されるように、それぞれのＶ字形２０２は、星形点３０２，３０４，３０６，３０８，３１０の内角以下の内角を有し、あらかじめ定められた星形点から径方向に内側に入れ子になる、分枝３３０，３３２を有する。例えば、図３及び３Ａに示されるように、嵌合部材２０２Ａは星形点３０２に完全に入れ子になる。Ｖ字形２０２Ａの脚３３０，３３２は星形１０６のリブ３２２，３２４のそれぞれ１つに隣接し、これは移動及び滑りを防止するであろう。５つの入れ子になった嵌合部材により、協働する嵌合部材間の回転運動が防止される。
【００２３】
図１〜３によって示される実施形態において、底部パネル１１４上の一組の嵌合部材２０２は上部パネル１０３上の星形１０６のそれぞれの頂点３０２〜３１０と角度アライメントがとられている。他に４組の嵌合部材２０２があり、それぞれの組は星形１０６の頂点の数と数が等しく、それぞれの組の嵌合部材２０２は最も近い頂点３０２〜３１０からあらかじめ定められた角度だけ離れている。それぞれの組のあらかじめ定められたオフセット角は他とは異なる。
【００２４】
図３は、第１の嵌合位置から角度オフセットされた第２の嵌合位置を達成している第２の容器３２０も隠れ線で示す。第２の位置３２０を達成するため、容器１００の星形が第２の容器１００上の第２の組のＶ字形２０２と協働する。第２の位置３２０を達成するために用いられるＶ字形は第１の嵌合位置を達成するために用いられる嵌合部材２０２とは異なるオフセット角にある。図３に示されるように、第２の嵌合位置を達成するため、星形点３０２が元の位置から参照数字３０２’で示される位置まで回される。同様に、星形点３０４，３０６，３０８及び３１０もそれぞれ位置３０４’，３０６’，３０８’及び３１０’まで回される。第２の嵌合位置３２０は０°より大きく９０°より小さい角度だけ元の位置からずらされる。図３に示される実施形態において、この角度ずれは４３.２°である。
【００２５】
図３の例示実施形態に示されるように、蓋１０２は上部パネル１０３の内部に配されたフィン３１４を有する。フィン３１４は製品の配置及び展示に役立つように様々な方位を有することが好ましい。透明である蓋１０２または容器１００が選ばれるときは特に、内容物を一層見え易くするため、パネル１０３の裏面上でフィン３１４が嵌合面壁と位置が合わせられていることが好ましい。
【００２６】
図４は螺旋段積み構成４００で積み重ねられた複数の容器を示す。第１の容器１００Ａが段積みの基礎を形成する。第１の容器１００Ａが床、棚あるいはその他の好ましい展示面または段積み面上に置かれる。第２の容器１００Ｂが、第２の容器１００Ｂの軸Ｘを第１の容器１００Ａの軸Ｘと実質的に合わせて、第１の容器１００Ａ上に置かれる。したがって、軸Ｘは螺旋の軸をなす。第２の容器１００Ｂは軸Ｘを中心にして測って第１の容器から１４.４°回された位置におかれる。第１の容器の上部パネルの星形が第２の容器の底部パネルの外面のＶ字形と合わさる。第３の容器１００Ｃが、軸Ｘを中心とする第２の容器１００Ｂと第３の容器１００Ｃの間の回転角が１４.４°となる位置に置かれる。第２の容器の上部パネルの星形が第３の容器のＶ字形と合わさる。積重ねと位置決めは所望の段積み高さが達成されるまで続けることができる。
【００２７】
図４は、第１の嵌合面が正五線星形であり、第２の嵌合面が、相互に１４.４°オフセットされた、五組のＶ字形からなる。螺旋ねじれの大きさは、星形あるいは、より多いかまたはより少ない同じ径方向セクタをもつ、別の嵌合面を選ぶことにより、及び／またはそれらを受け入れるように適合された第２の嵌合面部材の数を変えることにより、及び／または１つより多くの角位置だけのシフトを選ぶことにより、変えることができる。
【００２８】
図４では軸Ｘを中心とする回転角が一定の１４.４°であるとして示されるが、回転角は、０°より大きく９０°より小さい、いずれかの大きさの角度とすることができる。さらに、段積み内の回転角が一定のままである必要はない。例えば、図４に示される実施形態において、いずれの２つの連続する容器の間の回転角も、１４.４°の区切りで、１４.４°と８６.４°の間で変わることができる。さらに、２つの位置の間で容器を入れ換えることができ、これは螺旋段積みを形成しないであろうが、交互に角度がずれる容器の段積みは形成するであろう。
【００２９】
図１に示される実施形態において、容器１００の底部パネル１１４は正方形であり、容器本体は４枚のパネル１０７，１０８，１１０，１１２を有する。しかし、容器１００及び底部パネル１１４は他の非円筒形状に形成することができる。例えば、底部パネル１１４は、三角形、六角形または八角形にすることができる。容器本体パネルの枚数は底部パネル１１４の辺の数に対応するであろう。容器本体が円筒形または底面が非多角形の直筒形であれば、本体パネルは１枚だけになるであろう。しかし、ほとんどの場合、上部パネル１０３はほぼ底部パネル１１４の形状に似るであろう。
【００３０】
図１の例示実施形態において、上部パネル１０３は蓋１０２の一部である。しかし、上部パネル１０３が蓋である必要はなく、代わりに容器の固定部分になり得る。図１に示される実施形態において、蓋１０２は容器本体１０４から完全に取り外すことができる。別の実施形態において、蓋１０２は、蝶番で留めることができ、溝内を滑らせることができ、あるいは別の手段で容器本体に部分的に取り付けるかまたは他の方法で容器本体に結合させることができる。代わりに、容器への出し入れ口を１枚以上の側面パネルに設けることができる。
【００３１】
図１から４に示される例示実施形態においては、協働する嵌合面が五線星系及び複数のＶ字形として示されている。例示実施形態において、星形嵌合面は内部が中空の突出リブで形成される。あるいは、星形嵌合面全体は、また他のいずれの嵌合面も、突出面または隆起とするか、窪みまたはスロットとするか、あるいはそれぞれのパネルの開口とすることさえできるであろう。あるいは、協働する嵌合面は、それぞれのパネルの、突出リブ、突出面、及び窪み面、あるいはスロットまたは開口として形成された嵌合面を含む、２つの容器間の円回転を防止し、軸を中心にする回転角が、０°及び９０°を除き、０°と９０°の間にあるように、第２の容器を指定の位置に配置させる、いずれかの協働する嵌合面とすることができるであろう。
【００３２】
協働する嵌合面に必要な最小限の構造は、協働する嵌合面間の円回転を妨げ、協働する嵌合面間の軸を中心とする回転角が０°と９０°の間であるような少なくとも２つの位置を提供するに必要な構造である。最小限の構造は、１つの嵌合面のための１つの位置に対する構造及び、２つの位置が相互に角度オフセットされている、協働する嵌合面のための２つの位置に対する構造を含むであろう。あるいは、協働する位置が１つだけ達成可能であるように、嵌合面をそれぞれのパネル上に選んで、配置することができる。そのような実施形態において、第１の嵌合面は、第２の容器が第１の容器の上に積み重ねられる場合、第２の容器の前面パネル１０７が第１の容器の前面パネル１０７から角度オフセットされたときに、第２の嵌合面だけが第１の容器の第１の嵌合面と協働するように、それぞれのパネル上に配置される。
【００３３】
本発明の別の実施形態において、嵌合面の一方は、星形、正方形、六角形または八角形のような、頂点が合同な多角形とすることができるであろう。多角形嵌合面に対して協働する面は、２つの容器の間の円回転を防止し、軸を中心とする回転角が０°と９０°の間であるような位置に第２の容器が置かれる、いずれかの協働する嵌合面であろう。
【００３４】
本発明のまた別の実施形態において、嵌合面の一方は２つより多くの水平方向に間隔がとられた構造を有することができる。間隔がとられた構造は、図５に示されるような、容器の底部パネルまたは上部パネルの中心の周りに配置された一連の円形突出リブ５０２を含むことができる。円形突出リブ５０２は中心から一定の半径に配置される。協働する嵌合面は、図５に示されるような一連の入れ子円５０４とすることができる。あるいは、嵌合面は一連の円形突出リブ５０２を、図５Ａに示されるように嵌合面の中心に配置された、別の円形突出リブ５０６または別の嵌合部材とともに含むことができる。協働する嵌合面は、図５Ａに示されるように、中心円５０６と位置合わせされる１つの入れ子円５０８及び円５０４の外周上の１つの入れ子円を含むことができる。
【００３５】
間隔がとられた構造は、図７に示されるように、一連の長円形７０２を含むこともできる。長円形７０２は内円７０４の周と外円７０６の周の間で径方向に外向きに延び、内円７０４及び外円７０６はいずれも底部パネル１１４または蓋１０３の上部パネルの中心７１０を中心とする。協働する嵌合面は、図７に示されるような、一連の入れ子槓形７０８とすることができる。あるいは、嵌合面は嵌合面の中心に配置された円形突出リブ５０６または別の嵌合部材をさらに有する長円形７０２を含むことができる。したがって、協働する嵌合面は、図７Ａに示されるように、中心円形５０６と位置が合わされている１つの入れ子円形５０８及び、入れ子槓形７０８の形状の、第２の嵌合部材を含むことができる。あるいは、例示実施形態の変形は、２つの容器の間の円回転を防止し、軸を中心にする回転角が０°より大きく９０°より小さいような位置に第２の容器を配置する、協働する嵌合面のいずれかの組合せを含むことができる。
【００３６】
図６は嵌合面の一方が容器の底部パネルまたは上部パネルの中心の周りに配置された波打ち曲線形６０２である本発明の別の実施形態を示す。曲線形６０２は直線または頂点を有していないが、湾曲セグメントからなる規則的反復形である。重要なことは、曲線形６０２を反復可能な同一セクタに分割することができ、それぞれのセクタが２つの半径で仕切られた曲線形６０２の一部であることである。反復可能な同一のセクタにより、協働する嵌合面及び複数の容器位置が可能になる。協働する嵌合面は入れ子になる曲線形６０４とすることができる。あるいは、嵌合面は、嵌合面の中心に別の円形突出リブ５０６またはその他の嵌合部材が配置されている、曲線形６０２を含むことができる。したがって、協働する嵌合面は、図６Ａに示されるように、中心円５０６と位置合わせされる１つの入れ子円５０８及び曲線形６０２の周に沿う第２の曲線形６０６を含むことができる。例示実施形態の変形は、２つの容器の間の円回転を防止し、軸を中心にする回転角が０°より大きく９０°より小さいような位置に第２の容器を配置する、協働する嵌合面のいずれかの組合せを含むことができる。
【００３７】
図８に示されるように、別の実施形態において、一方の嵌合面は槓形８０２またはメサとすることができる。図示されるように、槓形８０２またはメサは連続とすることができ、それぞれのパネルの中心を通って延びることができる。槓形に対して協働する第２の嵌合面は、その内の１つに槓形８０２が嵌まる、図９に示されるような、交差するスロット９０２でもよい。
【００３８】
あるいは、嵌合面の一方は、図８に示されるような、１つ以上の隆起または突出とすることができるであろう。隆起に対して協働する嵌合面は、図９に示されるような、隆起を受け入れるための大きさにつくられて配位された１つ以上の窪みを含むことができるであろう。協働する嵌合面は、２つの容器の間の円回転を防止し、軸を中心にする回転角が０°より大きく９０°より小さいような位置に第２の容器を配置するであろう。
【００３９】
図１０は、複数の容器を螺旋段積みに配置するための方法１０００が、第１の容器の上部パネル上に第１の嵌合面を形成する工程１００２及び第２の容器の底部パネル上に協働する嵌合面を形成する工程１００４によって達成される、本発明の別の態様を示す。第１の容器が置かれ（工程１００６）、ずれが０°よりは大きいが９０°よりは小さい、第２の容器に対する角位置が選ばれる（工程１００８）。次いで第２の容器が第１の容器の上に積み重ねられる（工程１０１０）。段積みの頂点が達成されれば（工程１０１２）、その時点で段積みは終了する（工程１０１６）。しかし、段積みの頂点が達成されていなければ（工程１０１２）、次の容器が決定される（工程１０１４）。次の容器の角位置が決定され（工程１００８）、容器が積み重ねられる（工程１０１０）。積み重ねは螺旋段積みが所望の高さに達する（工程１０１６）まで継続される。
【００４０】
要約すると、それぞれのアセンブリの螺旋段積みを可能にする上部嵌合面及び底部嵌合面を有する容器を示し、説明した。本発明の例示実施形態を説明し、添付図面に示したが、本発明はそれらの実施形態には限定されず、添付される特許請求の範囲及び精神によってのみ限定される。
【符号の説明】
【００４１】
１００，１００Ａ，１００Ｂ，１００Ｃ    容器
１０２    蓋
１０３    上部パネル
１０４    容器本体
１０６    星形突出壁
１０７    前面パネル
１０８，１１０，１１２    側面パネル
１１４    底部パネル
１１６    突出フィン
１２０，１２２，１２４，１２６    側面パネル
２０２，２０２Ａ    嵌合部材
２０４，２０６，２０８，２１０    容器脚
２１２    底部パネルの主外面
３０２，３０４，３０６，３０８，３１０    頂点／星形点
３１４    蓋のフィン
３２２，３２４    リブ
３３０，３３２    Ｖ字形の分枝／脚
４００    螺旋段積み構成
【図１】
2016508933.tif 000003
【図２】
2016508933.tif 000004
【図３】
2016508933.tif 000005
【図３Ａ】
2016508933.tif 000006
【図４】
2016508933.tif 000007
【図５】
2016508933.tif 000008
【図５Ａ】
2016508933.tif 000009
【図６】
2016508933.tif 000010
【図６Ａ】
2016508933.tif 000011
【図７】
2016508933.tif 000012
【図７Ａ】
2016508933.tif 000013
【図８】
2016508933.tif 000014
【図９】
2016508933.tif 000015
【図１０】
2016508933.tif 000016
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
容器であって、複数のそのような容器を含む展示段積みの形成に用いるための容器において、前記容器が、
外面をもつ底部パネルを有する容器本体、
−前記容器本体は垂直軸を中心にして配置され、
−前記底部パネルの主外面は前記軸に実質的に直交し、
−前記主外面上に第１の嵌合面が形成される、
及び
前記底部パネルから軸方向に隔てられ、前記底部パネルに対向する、前記容器本体の上部パネル、
−前記上部パネルは前記軸を中心にして配置され、前記軸に実質的に直交する主外面を有し、
−前記上部パネル上に第２の嵌合面が形成される、
を有し、
前記容器を、少なくとも第１の位置、第２の位置及び第３の位置のいずれかにおいて、軸方向に第２の同様の容器の上に積み重ねることができ、
前記第１の位置、第２の位置及び第３の位置が、０°よりは大きいが９０°よりは小さい、角度だけ相互にずらされ、
前記容器が前記第１の位置、前記第２の位置または前記第３の位置にあるときには、前記容器の前記第１の嵌合面が前記第２の容器の前記第２の嵌合面と、前記容器の前記第２の容器に対する軸回転を防止するために、協働する、
ことを特徴とする容器。
【請求項２】
前記第１の容器及び前記第２の容器と同様の第３の容器を、少なくとも第４の位置、第５の位置及び第６の位置のいずれかにおいて、軸方向に前記第２の容器の上に積み重ねることができ、
前記第４の位置、第５の位置及び第６の位置が前記軸に対して、０°よりは大きいが９０°よりは小さい、角度だけ相互にずらされ、
前記第３の容器が前記第４の位置、第５の位置及び第６の位置のいずれかにあるときには、前記第２の容器の前記第１の嵌合面が前記第３の容器の前記第２の嵌合面と、前記第２の容器の前記第３の容器に対する軸回転を防止するために、協働する、
ことを特徴とする請求項１に記載の容器。
【請求項３】
容器であって、複数のそのような容器を含む展示段積みの形成に用いるための容器において、前記容器が、
底部パネルを有する容器本体、
−前記容器本体は前記容器本体の中心を通る垂直軸を中心にして配置され、
−前記底部パネルの主外面は前記軸に実質的に直交し、
−前記底部パネル上に第１の嵌合面が配置される、
及び
前記底部パネルから軸方向に隔てられ、前記底部パネルに対向する、前記容器本体の上部パネル、
−前記上部パネルは前記軸を中心にして配置され、前記軸に実質的に直交する主外面を有し、
−前記上部パネル上に第２の嵌合面が配置される、
を有し、
前記容器が、前記軸から隔てられ、前記底部パネルと前記上部パネルの間に配置された、前面パネルをさらに有し、
軸方向に、少なくとも第１の位置において、第２の同様の容器の上に前記容器を積み重ねることができ、
前記容器の前記第１の嵌合面が前記第２の容器の前記第２の嵌合面と、前記容器の前記第２の容器に対する軸回転を防止するために、協働し、
前記第１の位置が、積み重ねられると、前記容器の前記前面パネルが前記第２の容器の前記前面パネルに対し、前記軸を中心にしてある角度をなすようにあらかじめ選ばれ、
前記角度が０°より大きく９０°より小さくなるようにあらかじめ選ばれる、
ことを特徴とする容器。
【請求項４】
前記上部パネルが前記容器のための蓋の少なくとも一部分を形成することを特徴とする請求項１または３に記載の容器。
【請求項５】
第３の容器を軸方向に、前記少なくとも第２の位置及び第３の位置のいずれかにおいて、第２の同様の容器の上に積み重ねることができ、
前記第３の容器の前記第１の嵌合面が前記第２の容器の前記第２の嵌合面と、前記第２の容器に対する前記第３の容器の軸回転を防止するために、協働し、
前記第２の位置及び第３の位置が、積み重ねられると、前記第３の容器の前記前面パネルが前記第２の容器の前記前面パネルに対し、前記軸を中心にしてある角度をなすようにあらかじめ選ばれ、
前記角度が０°より大きく９０°より小さくなるようにあらかじめ選ばれる、
ことを特徴と請求項３に記載の容器。
【請求項６】
前記容器が、いずれの前記容器の角位置も隣接する容器から一定の大きさの角度だけずらされるように、積み重ねることができることを特徴とする請求項２または５に記載の容器。
【請求項７】
前記第１の嵌合面及び前記第２の嵌合面の内のあらかじめ選ばれた一方が複数の星形点をもつ星形突出リブであり、前記第１の嵌合面及び前記第２の嵌合面の他方が、前記星形点の内角以下の内角をもつ辺を有する複数のＶ字形突出リブを含み、それぞれのＶ字形が選ばれた星形点の内側に嵌まるよう適合されるように、前記星形点の位置から径方向に内側にずらされていることを特徴とする請求項１または３に記載の容器。
【請求項８】
前記第１の嵌合面及び前記第２の嵌合面の内のあらかじめ選ばれた一方が隆起であり、前記第１の嵌合面及び前記第２の嵌合面の他方が前記隆起を受け入れる寸法につくられた窪みであることを特徴とする請求項１または３に記載の容器。
【請求項９】
前記第１の嵌合面及び前記第２の嵌合面の内の少なくとも一方が多角形を含むことを特徴とする請求項１または３に記載の容器。
【請求項１０】
前記第１の嵌合面及び前記第２の嵌合面の内の少なくとも一方が細長い継目無しの壁で形成されることを特徴とする請求項１または３に記載の容器。
【請求項１１】
前記第１の嵌合面及び前記第２の嵌合面の内の少なくとも一方がメサであることを特徴とする請求項１または３に記載の容器。
【請求項１２】
前記第１の嵌合面及び前記第２の嵌合面の内の少なくとも一方が水平方向に隔てられた複数の構造を含むことを特徴とする請求項１または３に記載の容器。
【請求項１３】
前記構造の内の少なくともいくつかが円形であることを特徴とする請求項１２に記載の容器。
【請求項１４】
前記構造の内の少なくともいくつかが長円形であることを特徴とする請求項１２に記載の容器。
【請求項１５】
前記第１の嵌合面及び前記第２の嵌合面の内の少なくとも一方が曲線形を含むことを特徴とする請求項１または３に記載の容器。
【請求項１６】
前記第１の嵌合面及び前記第２の嵌合面の内の少なくとも一方が少なくとも１つの槓形を含むことを特徴とする請求項１または３に記載の容器。
【請求項１７】
前記嵌合面の内の少なくとも一方が前記軸から隔てられた円形を含むことを特徴とする請求項１または３に記載の容器。
【請求項１８】
前記第１の嵌合面及び前記第２の嵌合面の内の少なくとも一方がスロットを含むことを特徴とする請求項１または３に記載の容器。
【請求項１９】
前記第１の嵌合面が前記底部パネルから下方に延び、前記第２の嵌合面が前記上部パネルから上方に延びることを特徴とする請求項１または３に記載の容器。
【請求項２０】
前記底部パネルの前記主外面が、前記底部パネルの前記主外面から下方に延びると共に相互にまた前記第１の嵌合面から横方向に隔てられた、複数の脚を有し、前記主外面から測られた前記脚の高さが、前記主外面から測られた前記第１の嵌合面の高さより大きく、さらに、前記上部パネルの前記主外面から測られた前記第２の嵌合面の高さより大きいことを特徴とする請求項１９に記載の容器。
【請求項２１】
複数の容器を螺旋段積みに配置するための方法において、
第１の容器の底部パネルの上に第１の嵌合面を形成する工程、
−前記底部パネルは前記螺旋段積みの軸に実質的に直交する、
前記底部パネルから軸方向に変位され、前記軸に実質的に直交するように配置された、前記第１の容器の上部パネルの上に第２の嵌合面を形成する工程、
−前記第１の容器と同様の第２の容器上の前記第１の嵌合面と前記第１の容器上の前記第２の嵌合面との相互作用が、前記第２の容器が前記第１の容器に対して前記軸を中心にして角度がずらされた少なくとも１つの角位置を定める、
及び
前記第１の容器の上に第２の容器を積み重ねる工程、
−前記第２の容器は前記第１の容器と同様である、
を含み、
前記積み重ねる工程が、
前記第１の容器に対する前記第２の容器の少なくとも１つの角位置を選択するサブ工程、
−前記第２の容器は次いで、０°及び９０°を除く、０°から９０°の範囲からあらかじめ選ばれた前記軸に対する角度だけ前記第１の容器からずらされる、
前記第２の容器の前記第１の嵌合面を前記第１の容器の前記第２の嵌合面と嵌め合わせるサブ工程、及び
前記嵌め合わせるサブ工程に応答して、前記選択された角位置からずれる方向への前記第２の容器の前記軸を中心とする回転を防止するサブ工程、
を含む、
ことを特徴とする方法。
【国際調査報告】
2016508933.tif 000017